(57)【要約】【課題】操作子の操作によるエフェクトの種類の切り換わりを演奏者が操作子を見なくても容易に認識することができるようにする。【解決手段】楽音信号に付加するエフェクトの種類の切り換えと、各エフェクトのパラメータの調整とを単一の操作子１０で行うエフェクタにおいて、操作子１０の操作によるエフェクトの種類の切り換わり時に、その切り換わりを音で通知するための通知音信号を生成する手段（発振器４２、発振器制御部２２）を具備する。【選択図】図１
2014048570.tif 000002
【特許請求の範囲】
【請求項１】
楽音信号に付加するエフェクトの種類の切り換えと、各エフェクトのパラメータの調整とを単一の操作子で行うエフェクタであって、
前記操作子の操作によるエフェクトの種類の切り換わり時に、その切り換わりを音で通知するための通知音信号を生成する手段を具備することを特徴とするエフェクタ。
【請求項２】
請求項１記載のエフェクタにおいて、
前記楽音信号にエフェクトを付加するエフェクト部と、
前記操作子の操作に応じて前記エフェクト部を制御するエフェクト制御部と、
前記エフェクト部の出力信号に前記通知音信号を加算する加算器とを備え、
前記通知音信号を生成する手段は、発振器と、前記操作子の操作に応じて前記発振器の出力タイミングを制御する発振器制御部とよりなることを特徴とするエフェクタ。
【請求項３】
請求項２記載のエフェクタにおいて、
前記楽音信号の振幅を検出するピーク検出部と、
前記ピーク検出部で検出された振幅に応じて前記加算器に入力される前記通知音信号の大きさを制御する出力制御部とを備えることを特徴とするエフェクタ。
【請求項４】
請求項２記載のエフェクタにおいて、
前記エフェクト部の出力信号の振幅を検出するピーク検出部と、
前記ピーク検出部で検出された振幅に応じて前記加算器に入力される前記通知音信号の大きさを制御する出力制御部とを備えることを特徴とするエフェクタ。
【請求項５】
請求項２記載のエフェクタにおいて、
前記エフェクト部の出力信号に前記楽音信号を加算した信号の振幅を検出するピーク検出部と、
前記ピーク検出部で検出された振幅に応じて前記加算器に入力される前記通知音信号の大きさを制御する出力制御部とを備えることを特徴とするエフェクタ。
【請求項６】
請求項１乃至５記載のいずれかのエフェクタにおいて、
前記エフェクタがヘッドフォンに搭載されたものであることを特徴とするエフェクタ。
【請求項７】
請求項１記載のエフェクタにおいて、
ヘッドフォン接続端子を備え、
前記通知音信号が前記ヘッドフォン接続端子に出力されることを特徴とするエフェクタ。
【請求項８】
請求項２乃至５記載のいずれかのエフェクタにおいて、
ヘッドフォン接続端子を備え、
前記加算器の出力信号が前記ヘッドフォン接続端子に出力されることを特徴とするエフェクタ。
【発明の詳細な説明】
【技術分野】
【０００１】
この発明は例えば電気ギター等の楽器から出力される楽音信号に効果を付加するエフェクタに関する。
【背景技術】
【０００２】
楽音信号にエフェクト（効果）を付加するエフェクタは広く使用されている。
【０００３】
エフェクタには１種類のエフェクトを付加することができる構成のものと、様々な種類のエフェクトを付加することができる構成のものとがある。特許文献１にはダイナミクス系、ディストーション系、モジュレーション系、ディレイ系、リバーブ系のエフェクトを付加することができる構成とされたエフェクタが記載されている。特許文献１ではこれら５種類のエフェクトの選択と、各エフェクトのパラメータの調整のために操作子として５つの効果セレクタと５つのパラメータ調整つまみを備えたものとなっている。
【先行技術文献】
【特許文献】
【０００４】
【特許文献１】特開２００６−５３２５３号公報
【発明の概要】
【発明が解決しようとする課題】
【０００５】
ところで、例えばエフェクタの小型、軽量化を図る場合、複数の種類のエフェクトを付加することができる特許文献１に記載されているようなエフェクタでは、多数の操作子を必要とするため、これら操作子の存在が小型、軽量化を阻害する要因となっていた。
【０００６】
これに対し、単一の操作子の操作により、エフェクトの種類の切り換えと、各エフェクトのパラメータの調整を行えるように構成されたエフェクタも実用化されており、操作子を１つとすることで、小型、軽量化を図ることができ、かつ低価格化を図ることができるものとなる。
【０００７】
操作子はパネル上に配置されるので、単一の操作子でエフェクトの種類の切り換えと、各エフェクトのパラメータの調整を行うように構成されたエフェクタでは、操作子の操作によるエフェクトの状態を視覚的に認識することができるように、操作子のまわりのパネル面に文字や図形等を印刷形成するといったことが一般に行われている。
【０００８】
このように操作子のまわりに文字や図形等が表示されていれば、楽器の演奏者は例えばエフェクトの種類が切り換わる位置を、その表示を見て認識することができるものの、楽器を演奏中の演奏者にとっては表示を見づらい場合もあり、また見るのに煩わしさを感じる場合もある。
【０００９】
一方、単一の操作子でエフェクトの種類の切り換えと、各エフェクトのパラメータの調整を行う構成とされたエフェクタをヘッドフォンに搭載することを考えた場合、ヘッドフォンを装着した演奏者は操作子や表示文字等が見えないため、操作子の操作中にエフェクトの種類が切り換わったとしても、いつ切り換わったのか分かりにくいといった問題が生じる。
【００１０】
この発明の目的は上述した問題に鑑み、操作子の操作中にエフェクトの種類が切り換わった際、その切り換わりを演奏者が容易に認識することができるようにしたエフェクタを提供することにある。
【課題を解決するための手段】
【００１１】
請求項１の発明によれば、楽音信号に付加するエフェクトの種類の切り換えと、各エフェクトのパラメータの調整とを単一の操作子で行うエフェクタは、操作子の操作によるエフェクトの種類の切り換わり時に、その切り換わりを音で通知するための通知音信号を生成する手段を具備するものとされる。
【００１２】
請求項２の発明では請求項１の発明において、楽音信号にエフェクトを付加するエフェクト部と、操作子の操作に応じてエフェクト部を制御するエフェクト制御部と、エフェクト部の出力信号に通知音信号を加算する加算器とを備え、通知音信号を生成する手段は発振器と、操作子の操作に応じて発振器の出力タイミングを制御する発振器制御部とよりなる。
【００１３】
請求項３の発明では請求項２の発明において、楽音信号の振幅を検出するピーク検出部と、ピーク検出部で検出された振幅に応じて加算器に入力される通知音信号の大きさを制御する出力制御部とを備える。
【００１４】
請求項４の発明では請求項２の発明において、エフェクト部の出力信号の振幅を検出するピーク検出部と、ピーク検出部で検出された振幅に応じて加算器に入力される通知音信号の大きさを制御する出力制御部とを備える。
【００１５】
請求項５の発明では請求項２の発明において、エフェクト部の出力信号に楽音信号を加算した信号の振幅を検出するピーク検出部と、ピーク検出部で検出された振幅に応じて加算器に入力される通知音信号の大きさを制御する出力制御部とを備える。
【００１６】
請求項６の発明では請求項１乃至５のいずれかの発明において、エフェクタはヘッドフォンに搭載されている。
【００１７】
請求項７の発明では請求項１の発明において、ヘッドフォン接続端子を備え、通知音信号がヘッドフォン接続端子に出力される。
【００１８】
請求項８の発明では請求項２乃至５のいずれかの発明において、ヘッドフォン接続端子を備え、加算器の出力信号がヘッドフォン接続端子に出力される。
【発明の効果】
【００１９】
この発明によれば、操作子の操作中にエフェクトの種類が切り換わった際、演奏者はその切り換わりを容易に認識することができる。
【図面の簡単な説明】
【００２０】
【図１】この発明によるエフェクタの第１の実施例の機能構成を示すブロック図。
【図２】図１におけるピーク検出部のピーク検出波形を説明するための図。
【図３】図１における出力制御部の制御方法を説明するための図。
【図４】図１に示したエフェクタのヘッドフォンへの搭載例を示す図。
【図５】この発明によるエフェクタの第２の実施例の機能構成を示すブロック図。
【図６】この発明によるエフェクタの第３の実施例の機能構成を示すブロック図。
【発明を実施するための形態】
【００２１】
この発明の実施形態を図面を参照して実施例により説明する。
【００２２】
図１はこの発明によるエフェクタの第１の実施例の構成を示したものである。エフェクタはこの例では操作子１０と主制御部２０とＡ／Ｄ変換器３０とＤＳＰ（デジタルシグナルプロセッサ）４０とＤ／Ａ変換器５０とによって構成されている。
【００２３】
ＤＳＰ４０には楽音信号に各種エフェクトを付加するエフェクト部４１が構築されており、さらにこの例では発振器４２とピーク検出部４３と出力制御部４４と加算器４５とが構築されている。エフェクト部４１はこの例ではコーラス、ディレイ及びリバーブの３種類のエフェクトを付加することができるものとなっている。
【００２４】
楽音信号に付加するエフェクトの種類の切り換えと、各エフェクトのパラメータの調整は単一の操作子１０を操作することにより行われる。操作子１０は例えば回転操作されるタイプのもので、操作子１０の回転に応じて３種類のエフェクトが切り換わるように構成され、かつ各エフェクトに対応する角度領域内において操作子１０を回転操作することにより各エフェクトのパラメータの調整を行えるものとなっている。なお、操作子１０にはＯＦＦ位置が設けられており、このＯＦＦ位置に操作子１０を回転操作すれば、楽音信号にエフェクトは付加されない。
【００２５】
主制御部２０はＣＰＵで構成されており、操作子１０の操作に応じてエフェクト部４１を制御するエフェクト制御部２１と、発振器制御部２２とを有している。
【００２６】
電気ギター等の楽器が演奏されてその楽器から出力される楽音信号はＡ／Ｄ変換器３０に入力されてＡ／Ｄ変換される。Ａ／Ｄ変換器３０の出力信号（Ａ／Ｄ変換された楽音信号）はＤＳＰ４０のエフェクト部４１に入力され、操作子１０の操作に応じて所望のエフェクトが付加される。
【００２７】
発振器４２及び発振器制御部２２は操作子１０の操作によるエフェクトの種類の切り換わり時に、その切り換わりを音で操作子１０を操作した演奏者に通知するための通知音信号を生成する手段を構成している。発振器制御部２２は操作子１０の操作に応じて発振器４２の出力タイミングを制御する。例えば、操作子１０の操作により、ＯＦＦ→コーラス→ディレイ→リバーブと切り換わるように構成されているとした場合、発振器制御部２２はＯＦＦ→コーラスの切り換わり位置を含め、３つの切り換わり位置で、発振器４２の出力をＯＮとし、発振器４２から通知音信号を出力させる。
【００２８】
通知音信号の大きさは、この例では入力された楽音信号のレベルに応じて制御されるものとなっている。
【００２９】
ピーク検出部４３はＡ／Ｄ変換器３０の出力信号（Ａ／Ｄ変換された楽音信号）の振幅を検出し、検出結果を出力制御部４４に出力する。出力制御部４４には発振器４２から出力される通知音信号とピーク検出部４３の検出結果が入力され、出力制御部４４は通知音信号の大きさをピーク検出部４３から入力される検出結果に応じて制御する。
【００３０】
図２はピーク検出部４３に入力される入力信号（Ａ／Ｄ変換器３０の出力信号）に対してピーク検出部４３が検出したピーク検出波形を例示したものであり、ａは検出振幅を示す。ピーク検出波形は図２に示したように所定時間Ｔをかけて振幅ａから０に一定割合で減衰する波形となっている。なお、Ｔは例えば数十〜数百ｍｓの範囲で設定される。ピーク検出部４３はこの図２に示したピーク検出波形を検出結果として出力制御部４４に出力する。
【００３１】
出力制御部４４においてピーク検出波形の振幅に応じて振幅（大きさ）が制御された通知音信号は加算器４５に入力され、加算器４５はエフェクト部４１の出力信号に通知音信号を加算して出力する。加算器４５の出力信号はＤ／Ａ変換器５０に入力されてＤ／Ａ変換され、エフェクタ外部（例えばパワーアンプ等）に出力される。
【００３２】
上記のような構成を有するエフェクタによれば、操作子１０の操作中にエフェクトの種類が切り換わった際、その切り換わりを示す通知音信号が出力されるため、演奏者は音（通知音）でエフェクトの種類が切り換わったことを認識することができ、よって操作子１０を見なくてもエフェクトの種類の切り換わりを容易に認識することができ、つまり操作子１０を見なくても操作子１０の操作を快適に行えるものとなる。
【００３３】
なお、例えば演奏者が楽器を大音量で演奏中に小音量の通知音（ビープ音）が出力されても聞こえないといった問題や、逆に小音量で演奏中に大音量の通知音が出力されると楽曲のテンポを維持しずらくなるなど、演奏の邪魔になるといった問題が生じる恐れがあるが、この例では上述したように演奏音の大きさに応じて通知音の大きさが制御されるため、このような問題を解消することができる。
【００３４】
図３は出力制御部４４における通知音信号の大きさの具体的な制御方法を、その制御の結果として得られる通知音音量と、エフェクタに入力される演奏音音量との関係で示したものであり、図３に示したように演奏音音量が所定値Ｖ1〜Ｖ2の範囲では通知音音量は演奏音音量に比例するものとし、所定値Ｖ1以下及び所定値Ｖ2以上では通知音音量はそれぞれ所定値Ｗ1，Ｗ2を維持するものとする。このように制御することにより、通知音音量が０になったり、あるいは過大になったりすることを防止することができる。
【００３５】
エフェクトの種類の切り換わりを示す通知音は演奏者にのみ聞こえればよく、通知音信号はエフェクタが具備するヘッドフォン接続端子に出力される。即ち、図１に示した構成ではＤ／Ａ変換器５０の出力信号はヘッドフォン接続端子に出力される。
【００３６】
一方、エフェクタをヘッドフォンに搭載するといったことも考えられる。図４は図１に示した構成を有するエフェクタを搭載したヘッドフォン１００を示したものであり、図中、１０１，１０２はヘッドフォン１００のイヤーカップを示す。エフェクタは例えば一方のイヤーカップ１０１に内蔵される。エフェクタの操作子１０は図４に示したようにイヤーカップ１０１の周面に配置されて周面から突出される。
【００３７】
このようにエフェクタをヘッドフォンに搭載する場合、この発明によるエフェクタは操作子１０を見なくても操作子１０を快適に操作することができるため、極めて使い勝手の良いものとなる。
【００３８】
図５はこの発明によるエフェクタの第２の実施例の構成を示したものである。この例ではＡ／Ｄ変換器３０の出力信号を基に通知音信号の大きさを制御するのではなく、エフェクト部４１の出力信号を基に通知音信号の大きさを制御するものとなっている。ピーク検出部４３’はエフェクト部４１の出力信号の振幅を検出し、前述の図２で示した場合と同様のピーク検出波形を出力制御部４４に出力する。図１に示した構成に替えて、この図５に示したような構成を採用することもできる。
【００３９】
次に図６に示したこの発明によるエフェクタの第３の実施例の構成について説明する。
【００４０】
エフェクトが付加された楽音信号そのものをアンプで増幅してスピーカから放音するといったことも行われるが、例えば電気ギターから出力される楽音信号にエフェクトを付加する場合にはエフェクトを付加した楽音信号を元の楽音信号に加算するといったことが一般に行われている。図６はこの場合の構成を示したものである。図６中、６０は加算器を示し、７０，８０はアンプを示す。
【００４１】
Ｄ／Ａ変換器５０の出力信号は加算器６０に入力され、加算器６０において、Ｄ／Ａ変換器５０の出力信号が元の楽音信号に加算される。加算器６０の出力信号はアンプ８０で増幅され、この例ではこのアンプ８０の出力信号を基に通知音信号の大きさを制御する。アンプ８０の出力信号はＡ／Ｄ変換器９０に入力されてＡ／Ｄ変換され、ピーク検出部４３”はＡ／Ｄ変換器９０の出力信号の振幅を検出し、ピーク検出波形を出力制御部４４に出力する。
【００４２】
この例では放音される音の出力レベル（出力音量）に応じて通知音の音量が制御されることになるため、より好ましい通知音の制御方法と言える。
【００４３】
なお、実施例としてデジタル信号処理を用いたデジタルエフェクトを例に説明したが、アナログ回路を用いたアナログエフェクトとしてエフェクト部４１を構成し、アナログの発振回路で発振器４２を構成することもできる。この場合はＡ／Ｄ変換器３０やＤ／Ａ変換器５０は必要ない。
【００４４】
以上、各種実施例について説明したが、エフェクト部４１によって付加することのできるエフェクトは前述したようなコーラス、ディレイ、リバーブに限るものではなく、また３種類に限るものでもない。また、操作子１０は回転操作されるタイプのものとして説明したが、これに限るものではなく、スライド操作されるタイプのものであってもよい。
【符号の説明】
【００４５】
１０  操作子                                  ２０  主制御部
２１  エフェクト制御部                        ２２  発振器制御部
３０  Ａ／Ｄ変換器                            ４０  ＤＳＰ
４１  エフェクト部                            ４２  発振器
４３，４３’，４３”  ピーク検出部              ４４  出力制御部
４５  加算器                                  ５０  Ｄ／Ａ変換器
６０  加算器                                  ７０，８０  アンプ
９０  Ａ／Ｄ変換器                            １００  ヘッドフォン
１０１，１０２  イヤーカップ
【図１】
2014048570.tif 000003
【図２】
2014048570.tif 000004
【図３】
2014048570.tif 000005
【図４】
2014048570.tif 000006
【図５】
2014048570.tif 000007
【図６】
2014048570.tif 000008